(57)【特許請求の範囲】
【請求項１】
互いにデータ通信可能な画像送信装置と画像受信装置とから構成される画像通信システムにおいて，
上記画像受信装置が，
上記画像送信装置に，上記画像受信装置に表示可能な画像の大きさの情報を送信する装置情報送信手段を備え，
上記画像送信装置が，
上記画像受信装置の上記装置情報送信手段から送信された上記画像受信装置に表示可能な画像の大きさの情報を受信する装置情報受信手段，および
上記装置情報受信手段によって受信した画像受信装置に表示可能な画像の大きさの情報にもとづいて，上記画像受信装置に表示可能な大きさをもつ画像を表す画像データを上記画像受信装置に送信する画像データ送信手段，
を備えた画像通信システム。
【請求項２】
上記画像送信装置が，複数の異なる大きさを表わす画像データを記憶する記憶手段をさらに備え，
上記画像データ送信手段が，上記装置情報受信手段によって受信した画像受信装置に表示可能な画像の大きさの情報にもとづいて，上記記憶手段の中から上記画像受信装置に表示可能な大きさをもつ画像を表す画像データを上記画像受信装置に送信するものである，
請求項１に記載の画像通信システム。
【請求項３】
上記画像送信装置の上記画像データ送信手段が，画像，文章などの複数の表示項目から構成される編集画像を表す編集画像データを上記画像受信装置に送信するものである，
請求項１に記載の画像通信システム。
【請求項４】
上記画像受信装置が，
上記編集画像のレイアウトおよび上記表示項目の少なくとも一方を設定する設定手段，ならびに
上記設定手段により設定された情報を上記画像送信装置に送信する設定情報送信手段をさらに備え，
上記画像送信装置が，
上記画像受信装置の上記設定情報送信手段から送信された設定情報を受信する設定情報受信手段，ならびに
上記編集画像データによって表される編集画像のレイアウトおよび表示項目の少なくとも一方を，上記設定情報受信手段によって受信された設定情報にもとづいて決定する決定手段，
をさらに備えた請求項３に記載の画像通信システム。
【請求項５】
上記画像受信装置の上記設定手段が，
上記編集画像の全体を一括して編集するように設定する，あるいは上記編集画像の一部を編集するように設定するものである，
請求項４に記載の画像通信システム。
【請求項６】
上記編集画像を構成する画像を表わす画像データが，データ量が異なって複数記憶されている複数画像データ記憶手段，および
上記複数画像データ記憶手段に記憶されている画像データのうちいずれか１つの画像データによって表わされる画像を用いて上記編集画像を生成する生成手段をさらに備えた，
請求項３に記載の画像通信システム。
【請求項７】
複数駒の画像を表わす画像データが上記画像送信装置から上記画像受信装置に送信されるものであり，
上記画像受信装置は，レイアウトおよび上記表示項目の少なくとも一方が上記設定手段により設定されるべき上記編集画像を指定する編集画像指定手段をさらに備え，
上記設定手段は，上記編集画像指定手段により指定された編集画像について上記レイアウトおよび上記表示項目の少なくとも一方を設定するものである，
請求項４に記載の画像通信システム。
【請求項８】
上記画像送信装置が，上記画像受信装置と上記画像送信装置とが正式に接続されたときに最初に表示される画像の候補を表わすデータを上記画像受信装置に送信する画像候補送信手段をさらに備え
上記画像受信装置が，上記画像送信装置の上記画像候補送信手段から送信されたデータによって表わされる画像の候補の中から，上記画像受信装置と上記画像送信装置とが正式に接続されたときに最初に表示される画像を選択する選択手段，および
上記選択手段によって選択された画像を表すデータを上記画像送信装置に送信する選択画像送信手段をさらに備え，
上記画像送信装置が，
上記画像受信装置の上記選択画像送信手段から送信された選択画像データを受信する選択画像受信手段をさらに備え，
上記画像データ送信手段が，
上記装置情報受信手段によって受信した画像受信装置に表示可能な画像の大きさの情報にもとづいて決定される大きさをもつものであって，かつ上記選択画像受信手段によって受信された選択画像データによって表される画像を表す画像データを，上記画像受信装置と上記画像送信装置とが正式に接続されたときに上記画像受信装置に送信するものである，
請求項１に記載の画像通信システム。
【請求項９】
上記画像受信装置が，
画像更新指令を上記画像送信手段に送信する更新指令送信手段をさらに備え，
上記画像送信装置が，
上記更新指令送信手段から送信された上記画像の更新指令を受信する更新指令受信手段をさらに備え，
上記画像データ送信手段が，
上記更新指令受信手段によって受信した更新指令および上記画像受信装置に関する情報に応じた画像データであって，上記画像データ送信手段によって上記画像受信手段に送信された画像データにより表される画像にリンクされている次の画像を表す画像データを上記画像受信装置に送信するものである，
請求項１に記載の画像通信システム。
【請求項１０】
上記画像受信装置が，
上記リンクすべき画像を設定するリンク画像設定手段，および
上記リンク画像設定手段によって設定されたリンク情報を，上記画像送信装置に送信するリンク情報送信手段をさらに備え，
上記画像送信装置が，
上記画像受信装置の上記リンク情報送信手段から送信されたリンク情報を受信するリンク情報受信手段をさらに備え，
上記画像データ送信手段が，上記リンク情報受信手段によって受信したリンク情報にもとづいて上記リンクされる次の画像を表わす画像データを上記受信装置に送信するものである，
請求項８に記載の画像通信システム。
【請求項１１】
画像受信装置とデータ通信可能な画像送信装置において，
上記画像受信装置から送信された画像受信装置に表示可能な画像の大きさの情報を受信する装置情報受信手段，および
上記装置情報受信手段によって受信した画像受信装置に表示可能な画像の大きさの情報にもとづいて，上記画像受信装置に表示可能な大きさをもつ画像を表す画像データを上記画像受信装置に送信する画像データ送信手段，
を備えた画像送信装置。
【請求項１２】
画像受信装置とデータ通信可能な画像送信装置において，
上記画像受信装置から送信された画像受信装置に表示可能な画像の大きさの情報を受信し，
受信した画像受信装置に表示可能な画像の大きさの情報にもとづいて，上記画像受信装置に表示可能な大きさをもつ画像を表す画像データを上記画像受信装置に送信する，
画像データ送信方法。
【請求項１３】
画像受信装置とデータ通信可能な画像送信装置のコンピュータを制御するためのプログラムであって，
上記画像受信装置から送信された画像受信装置に表示可能な画像の大きさの情報を受信させ，
受信した画像受信装置に表示可能な画像の大きさの情報にもとづいて，上記画像受信装置に表示可能な大きさをもつ画像を表す画像データを上記画像受信装置に送信させるように上記画像送信装置のコンピュータを制御するためのプログラムを格納したコンピュータが読み取り可能な記録媒体。
【発明の詳細な説明】
【０００１】
【技術分野】
この発明は，互いにデータ通信可能な画像送信装置と画像受信装置とから構成される画像通信システム，画像通信システムを構成する画像送信装置および方法ならびに画像送信装置のコンピュータを制御するためのプログラムを格納した記録媒体に関する。
【０００２】
【発明の背景】
電子技術の進展に伴い，パーソナル・コンピュータのみならず，携帯電話，携帯型情報端末装置などの種々の装置がデータ通信可能となってきている。これらの携帯電話，携帯型情報端末装置にも，小型の表示装置が付いている。ネットワークを介して送信された画像データを受信し，受信した画像データによって表される画像を表示装置に表示することができる。
【０００３】
しかしながら，携帯電話，携帯型情報端末装置などに設けられている表示装置は小型のものであるから，パーソナル・コンピュータに接続されている表示装置に表示される画像と同じ画像を表示することは難しいことがある。
【０００４】
【発明の開示】
この発明は，画像受信装置において表示される画像に適した画像を表す画像データを受信できるようにすることを目的とする。
【０００５】
この発明は，互いにデータ通信可能な画像送信装置と画像受信装置とから構成される画像通信システムについてのものである。
【０００６】
上記画像受信装置は，上記画像送信装置に，上記画像受信装置に関する情報を送信する装置情報送信手段を備えている。
【０００７】
上記画像送信装置は，上記画像受信装置の上記装置情報送信手段から送信された上記画像受信装置に関する情報を受信する装置情報受信手段，および上記装置情報受信手段によって受信した画像受信装置に関する情報にもとづいて，上記画像受信装置に適した表示の形態をもつ画像を表す画像データを上記画像受信装置に送信する画像データ送信手段を備えている。
【０００８】
この発明は，上記画像通信システムを構成する画像送信装置も提供している。
【０００９】
またこの発明は，上記画像送信装置に適した方法も提供している。すなわち，この方法は，画像受信装置とデータ通信可能な画像送信装置において，上記画像受信装置から送信された画像受信装置に関する情報を受信し，受信した画像受信装置に関する上記情報にもとづいて，上記画像受信装置に適した表示の形態をもつ画像を表す画像データを上記画像受信装置に送信するものである。
【００１０】
さらに，この発明は，上記画像送信装置において上記方法を実施するためのプログラムを格納した記録媒体も提供している。
【００１１】
この発明によると，上記画像受信装置から上記画像送信装置に上記画像受信装置に関する情報（たとえば，上記画像受信装置の機種，上記画像受信装置に接続される表示装置の表示についての情報，すなわち，表示画面の大きさ，表示可能な色数，上記画像受信装置にインストールされている画像表示のためのソフトウェアなど）が送信される。
【００１２】
上記画像送信装置において上記画像受信装置に関する情報が受信される。すると，受信した情報にもとづいて，上記画像受信装置に適した表示の形態をもつ画像（上記画像受信装置に適した大きさの画像，上記画像受信装置に適した色数の画像，画像が複数の画像から構成される編集画像の場合には，その編集画像のレイアウト，画像を含む複数の項目を表示するときにはその表示項目など）を表す画像データが上記画像受信装置に送信される。
【００１３】
上記画像受信装置においては，表示に適した形態をもつ画像データが受信される。受信した画像データが上記画像受信装置に与えられることにより，上記画像受信装置に接続されている表示装置に適した画像が表示される。
【００１４】
上記画像送信装置に，複数の異なる表示の形態をもつ画像データ記憶する記憶手段をさらに備えてもよい。この場合は，上記装置情報受信手段によって受信した画像受信装置に関する情報にもとづいて，上記記憶手段の中から上記画像受信装置に適した表示の形態をもつ画像を表す画像データを上記画像受信装置に送信することとなろう。
【００１５】
画像，文章などの複数の表示項目から構成される編集画像を表す編集画像データ（編集画像そのものを表わすデータであってもよいし，編集画像を画像受信装置において生成できるような画像，文章を表わすデータ，編集画像を構成するためのレイアウトなどを表わすデータであってもよい）を上記画像受信装置に送信するようにしてもよい。
【００１６】
上記画像受信装置に，上記編集画像のレイアウトおよび上記表示項目の少なくとも一方を設定する設定手段，ならびに上記設定手段により設定さた情報を上記画像送信装置に送信する設定情報送信手段をさらに備えてもよい。
【００１７】
この場合，上記画像送信装置に，上記画像受信装置の上記設定情報送信手段から送信された設定情報を受信する設定情報受信手段，ならびに上記編集画像データによって表される編集画像のレイアウトおよび表示項目の少なくとも一方を，上記設定情報受信手段によって受信された設定情報にもとづいて決定する決定手段をさらに備える。
【００１８】
所望のレイアウト，表示項目をもつ編集画像を上記画像受信装置において表示することができる。
【００１９】
上記画像受信装置の上記設定手段は，上記編集画像の全体を一括して編集するように設定するおよび上記編集画像の一部を編集するように設定するものの少なくとも一方でもよい。また，上記編集画像を構成する画像を表わす画像データが，データ量が異なって複数記憶されている（画像データを間引いて複数の画像データを得てもよいし，画像の一部を切り出して複数の画像データを得てもよい）複数画像データ記憶手段，および上記複数画像データ記憶手段に記憶されている画像データのうちいずれか１つの画像データによって表わされる画像を用いて上記編集画像を生成する生成手段をさらに備えてもよい。
【００２０】
複数駒の画像を表わす画像データが上記画像送信装置から上記画像受信装置に送信されるときには，上記画像受信装置には，レイアウトおよび上記表示項目の少なくとも一方が上記設定手段により設定されるべき上記編集画像を指定する編集画像指定手段をさらに備える。また，上記設定手段は，上記編集画像指定手段により指定された編集画像について上記レイアウトおよび上記表示項目の少なくとも一方を設定する。
【００２１】
所望の画像を指定することができ，指定した画像について上記レイアウトおよび上記表示項目の少なくとも一方を設定することができる。
【００２２】
上記画像受信装置に，上記画像受信装置と上記画像送信装置とが正式に接続されたときに最初に表示される画像を選択する選択手段，および上記選択手段によって選択された画像を表すデータを上記画像送信装置に送信する選択画像送信手段をさらに設けることができる。
【００２３】
上記画像送信装置に，上記画像受信装置の上記選択画像送信手段から送信された選択画像データを受信する選択画像受信手段をさらに備える。この場合，上記画像データ送信手段が，上記選択画像受信手段によって受信された選択画像データによって表される画像を表す画像データを，上記画像受信装置と上記画像送信装置とが正式に接続されたときに上記画像受信装置に送信することとなろう。
【００２４】
画像を選択することにより，上記画像送信装置と上記画像受信装置とが正式に接続されたときに（パスワード，ＩＤなどにより接続権限があることが確認されたあとに接続されたとき），選択された所望の画像を上記画像受信装置において受信することができる。
【００２５】
上記画像受信装置に，画像更新指令を上記画像送信手段に送信する更新指令送信手段をさらに備えてもよい。
【００２６】
この場合，上記画像送信装置には，上記更新指令送信手段から送信された上記画像の更新指令を受信する更新指令受信手段をさらに備える。上記画像データ送信手段は，上記更新指令受信手段によって受信した更新指令および上記画像受信装置に関する情報に応じた画像データであって，上記画像データ送信手段によって上記画像受信手段に送信された画像データにより表される画像にリンクされている次の画像を表す画像データを上記画像受信装置に送信することとなろう。
【００２７】
上記画像受信装置に，上記リンクすべき画像を設定するリンク画像設定手段，および上記リンク画像設定手段によって設定されたリンク情報を，上記画像送信装置に送信するリンク情報送信手段をさらに備えてもよい。
【００２８】
このときには，上記画像送信装置に，上記画像受信装置の上記リンク情報送信手段から送信されたリンク情報を受信するリンク情報受信手段をさらに備える。そして，上記リンク情報受信手段によって受信したリンク情報にもとづいて上記リンクされる次の画像を表わす画像データを上記受信装置に送信する。
【００２９】
ユーザは所望の画像にリンクさせることができる。ユーザに応じてリンク先の画像が異なることとなる。
【００３０】
【実施例の説明】
(1) 画像通信システムの概要
図１は，この実施例による画像通信システムの概要を示すものである。
【００３１】
画像通信システムは，ネットワークを介して互いに通信可能なサーバ１，パーソナル・コンピュータ30，ノート型コンピュータ31，携帯型情報端末（ＰＤＡ：personal digital assistants ）32および携帯電話33から構成されている。この実施例においては，サーバ１を送信側の装置，パーソナル・コンピュータ30，ノート型コンピュータ31，携帯情報端末32および携帯電話33を受信側のユーザの装置としている。送信側の装置であるサーバ１と受信側の装置であるパーソナル・コンピュータ30，ノート型コンピュータ31，携帯情報端末32および携帯電話33の内の１つの装置が互いにデータ通信できればよい。
【００３２】
送信側のサーバ１と受信側のユーザの装置との間でデータ通信が行われ，受信側のユーザの表示装置に画像が表示される。受信側のユーザの装置に表示される画像は，受信側のユーザによって比較的自由にレイアウト等の変更，すなわち，カスタマイズすることができる。より詳しくは後述する。
【００３３】
図２は，サーバ１の電気的構成を示すブロック図である。
【００３４】
サーバ１の全体の動作は，ＣＰＵ10によって統括される。
【００３５】
サーバ１には，プリンタ２が接続されている。このプリンタ２は，プリンタ制御回路３によって制御される。
【００３６】
サーバ１には，パーソナル・コンピュータ30，ノート型コンピュータ31，携帯情報端末32，携帯電話33などの他のデータ通信装置とデータ通信を行うためのネットワーク・カード４，ＦＤ（フロッピィ・ディスク）のデータを記録する，およびＦＤに記録されているデータを読み取るためのＦＤドライブ５，ＣＤ−ＲＯＭ（コンパクト・ディスク−リード・オンリ・メモリ）に記録されているデータを読み取るためのＣＤ−ＲＯＭドライブ６，マウス７およびキーボード８が接続されている。これらのネットワーク・カード４等から得られるデータは，システムＩ／Ｏコントローラ９を介してサーバ１に取り込まれる。
【００３７】
ＣＤ−ＲＯＭに後述する処理を実行するためのプログラムが格納されている。ＣＤ−ＲＯＭに格納されているプログラムがＣＤ−ＲＯＭによって読み取られ，そのプログラムがサーバ１にインストールされる。プログラムは，他のサーバなどからダウンロードしてもよいのはいうまでもない。
【００３８】
さらに，サーバ１には，バス・コントローラ11，データを一時的に記憶するためのＲＡＭ12，プログラムその他必要なデータを記憶するＲＯＭ13が含まれている。
【００３９】
また，ＤＶＤ（digital versatile disk）−ＲＡＭ（random access memory）にデータを記録する，またはＤＶＤ−ＲＡＭに記録されているデータを読み取るためのＤＶＤ−ＲＡＭドライブ15，磁気テープにデータを記録する，または磁気テープに記録されているデータを読み取るためのテープ・ドライブ16およびハードディスクにデータを記録する，またはハードディスクに記録されているデータを読み取るためのＨＤ（ハードディスク）ドライブ17が設けられている。これらのＤＶＤ−ＲＡＭドライブ15，テープ・ドライブ16およびＨＤドライブ17は，外部Ｉ／Ｏコントローラ14によって制御される。
【００４０】
さらに，サーバ１には，割り込みコントローラ18，タイマ19，メモリ・コントローラ20および表示装置23に画像を表示するために画像データを一時的に記憶するためのＶＲＡＭ21が含まれている。ＶＲＡＭ21に記憶されている画像データがディジタル・アナログ・コンバータ22に与えられることにより表示装置23の表示画面上に画像が表示される。
【００４１】
図３は，サーバ１のハードディスクに格納されるプログラム，ファイル等を示している。
【００４２】
サーバ１のハードディスクには，後述するユーザ情報を示すデータ，ユーザ情報を読み取るおよびユーザ情報を追加するユーザ情報処理プログラム，編集画像を生成するための構造化言語生成処理プログラム，ファイルを送受信するためのプログラム，スクリプトを示すデータ，追加処理プログラム（サーバ１は，スクリプトにしたがって画像を貼り付ける基本的な性能を有しているがさらに処理を追加できる。この追加処理のためのプログラムが追加処理プログラムである）および画像ファイル，テキスト・ファイル，管理ファイルなどの各種ファイルが格納されている。
【００４３】
図４は，パーソナル・コンピュータ30の電気的構成を示すブロック図である。パーソナル・コンピュータ30は，サーバ１とほぼ同じ構成である。パーソナル・コンピュータ30を構成する回路においてサーバ１を構成する回路と同一物には同一符号を付して説明を省略する。
【００４４】
パーソナル・コンピュータ30は，ＣＰＵ40によって全体の動作が統括される。
【００４５】
パーソナル・コンピュータ30には，モデム44が接続されている。このモデム44によってネットワークに接続することができる。
【００４６】
さらに，パーソナル・コンピュータ30には，フラットベッドスキャナ41，フイルム・スキャナ42およびディジタル・スチル・カメラ43が接続されており，これらのフラットベッドスキャナ41，フイルム・スキャナ42およびディジタル・スチル・カメラ43は，外部Ｉ／Ｏコントローラ14によって制御される。
【００４７】
図５は，パーソナル・コンピュータ30のハードティスクに格納されているプログラムを示している。
【００４８】
プログラムには，ファイル送受信プログラム，構造化言語表示処理プログラムおよびユーザ入力処理プログラムがある。もちろん，その他の必要なファイルもハードディスクに格納されているのはいうまでもない。
【００４９】
パーソナル・コンピュータ30以外のユーザの装置，ノート型コンピュータ31，携帯情報端末32および携帯電話33もパーソナル・コンピュータ30と同様にネットワークを介してデータ通信可能なようにデータ送受信用の回路が設けられているのはいうまでもない。
【００５０】
図６は，サーバ１に接続したユーザの装置に表示される画像の遷移を示している。
【００５１】
この実施例においては，画像が互いにリンクされており，検索することにより最終的には，ユーザの所望の作者の作品画像をユーザの表示装置に表示するものである。図６において互いに接続されている画像同士がリンクされていることを示している。
【００５２】
この実施例においては，次に示す画像がある。
【００５３】
ログオン画像50（図42参照）
ユーザがサーバ１にアクセスしたときにそのアクセス権限を確認するための画像である。
【００５４】
メニュー画像51（図43参照）
ユーザの表示装置に次に表示させるべき画像を選択するための画像である。
【００５５】
カスタマイズ用画像52
ユーザによって画像のカスタマイズを行うための画像である。
【００５６】
カテゴリ検索画像53（図45参照）
カテゴリ検索を行うための画像である。
【００５７】
キーワード検索画像54（図44参照）
キーワード検索を行うための画像である。
【００５８】
アーティスト別一覧画像55
作品画像を見ることのできるアーティストを一覧表示するための画像である。
【００５９】
テーマ別一覧画像56
見ることのできる作品画像を，そのテーマ別に一覧表示するための画像である。
【００６０】
年代別一覧画像57
見ることのできる作品画像を，年代別に一覧表示するための画像である。
【００６１】
国別一覧画像58
見ることのできる作品画像を，作者の国別に一覧表示するための画像である。
【００６２】
データ・フォーマット別一覧画像59
見ることのできる作品画像を，データ・フォーマット別に一覧表示するための画像である。
【００６３】
検索結果一覧画像60
検索により得られた結果を一覧表示する画像である。
【００６４】
作品リスト画像61（図46から図49参照）
アーティストの作品を一覧表示するための画像である。
【００６５】
アーティスト画像62
アーティストについての情報を表示する画像である。
【００６６】
作品画像63
ユーザが得たいアーティストの作品画像である。
【００６７】
この実施例による画像通信システムでは，ユーザの装置がサーバ１とアクセスすると，ユーザにアクセス権限があるかどうかを確認するために，ログオン画像がユーザの装置に表示される。ユーザにアクセス権限があることが確認されるとそのログオン画像とリンクされている次の画像（これをスタート画像という）がユーザの表示装置に表示される。
【００６８】
どの画像をスタート画像とするかはユーザによって設定される。ユーザによるスタート画像が設定されていなければ，所定のスタート画像としてメニュー画像がユーザの表示装置に表示される。
【００６９】
また，ユーザの表示装置に表示されている画像のリンク先をどの画像とするかもユーザによって設定することができる。たとえば，検索結果一覧画像60がユーザの表示装置に表示されているときにそのリンク先の画像は，作品リスト画像61またはアーティスト画像62であるが，どちらの画像を検索結果一覧画像のリンク先とするかをユーザが決定することができる。
【００７０】
図７は，ユーザ情報の一例を示している。
【００７１】
ユーザ情報は，サーバ１に接続する受信側の装置の情報である。このユーザ情報は，上述したようにサーバ１のハードディスクに格納されている。ユーザ情報には，ユーザ名，パスワード，スタート画像のスクリプト，検索条件，メニュー画像のスクリプト，カテゴリ検索画像のスクリプト，作品リスト画像のスクリプト，アーティスト画像のスクリプト，作品画像のスクリプトをそれぞれ示すデータなどが含まれている。
【００７２】
ユーザ名およびパスワードは，あらかじめ郵送などによりユーザに知らされている。スタート画像などがユーザによってカスタマイズされる。スタート画像などの画像は，スクリプトによってその画像のレイアウトなどが規定される。
【００７３】
図７に示すユーザ情報においては，ユーザＡからＤのスタート画像がカテゴリ検索結果画像に設定されている。そのために，その検索結果を得るための検索条件がユーザ情報に格納されている。
【００７４】
図８（Ａ），（Ｂ），（Ｃ）および（Ｄ）は，サーバ１のハードディスクに格納されているアーティスト画像ファイル・グループを示している。アーティスト画像ファイル・グループに一つのＩＤが付与されている。
【００７５】
図８（Ａ）は，アーティスト画像ファイル・グループの管理ファイルである。
【００７６】
管理ファイルは，ユーザがサーバ１にアクセスして閲覧したい画像を探すときに用いられる。管理ファイルには，閲覧したい画像の作者の作者名，作者の国籍，作者の生年月日，没年月日，説明文テキスト・ファイルＩＤ，ファイル・フォーマット，画像ファイル数，画像ファイル名が含まれている。
【００７７】
図８（Ｂ）から（Ｄ）は，管理ファイルに格納されている画像ファイル名によって表される画像を示している。図８（Ａ）に示す作者画像ファイル管理ファイルに格納されている画像ファイル名によって特定される画像である。
【００７８】
図８（Ｂ）は，図８（Ａ）に示す管理ファイルの第１の画像ファイル名をもつ画像である。この画像は，画像データ量が最も多く解像度の高いものである。
【００７９】
図８（Ｃ）は，図８（Ａ）に示す管理ファイルの第２の画像ファイル名をもつ画像である。この画像は，画像データ量が中位の画像であり解像度も中程度である。
【００８０】
図８（Ｄ）は，図８（Ａ）に示す管理ファイルの第３の画像ファイル名をもつ画像である。この画像は，画像データ量がもっとも少ない画像であり，解像度が低い。
【００８１】
アーティスト画像管理ファイル，アーティスト画像ファイルおよび後述するテキスト・ファイルからアーティスト画像62を生成できる。
【００８２】
図９（Ａ），（Ｂ），（Ｃ）および（Ｄ）は，作品画像ファイル・グループを示している。この作品画像ファイル・グループも一つのＩＤを持っている。
【００８３】
図９（Ａ）は，作品画像管理ファイルを示している。
【００８４】
この管理ファイルもユーザがサーバ１にアクセスして閲覧したい画像を探すときに用いられる。作者画像ファイル管理ファイルには，作者名，画像のタイトル，画像の発表年，画像の作品カテゴリ，説明分テキスト・ファイルＩＤ，ファイル・フォーマット，画像ファイル数および画像ファイル名が格納されている。
【００８５】
図９（Ｂ）および（Ｃ）は，作品画像管理ファイルに格納されている画像ファイル名によって表される画像を示している。図９（Ａ）に示す作品画像ファイル管理ファイルに格納されている画像ファイル名によって特定される画像である。
【００８６】
図９（Ｂ）は，図９（Ａ）に示す作品画像管理ファイルの第１の画像ファイル名をもつ画像である。この画像は，画像データ量が多く，解像度の高いものである。
【００８７】
図９（Ｃ）は，図９（Ａ）に示す作品画像管理ファイルの第２の画像ファイル名をもつ画像である。この画像は，画像データ量が少なく解像度の低いものである。
【００８８】
作品画像管理ファイル，作品画像ファイルおよび後述するテキスト・ファイルから作品画像63を生成できる。
【００８９】
図10は（Ａ）および（Ｂ）は，テキスト・グループ・ファイルを示している。このテキスト・グループ・ファイルも一つのＩＤをもっている。
【００９０】
図10（Ａ）は，テキスト管理ファイルを示している。
【００９１】
このテキスト管理ファイルもユーザがサーバ１にアクセスして閲覧したい画像を探すときに用いられる。タイトル・テキストファイル管理ファイルには，ファイル・フォーマット，テキスト・ファイル数およびテキスト・ファイル名が含まれている。
【００９２】
図11（Ｂ）は，図11（Ａ）に示すテキスト管理ファイルに格納されているテキスト・ファイル名をもつテキスト・ファイルによって表されるテキストである。
【００９３】
検索により図８（Ａ）に示すアーティスト画像管理ファイルが見つかると，そのアーティスト画像管理ファイルに格納されている説明文テキスト・ファイルＩＤが読み取られる。読み取られた説明文テキスト・ファイルＩＤをもつテキスト・ファイルが見つけられ（たとえば，図10（Ｂ）に示すテキストを表すファイル）見つけられたテキスト・ファイルと画像管理ファイルから，たとえば，後述する図19に示すアーティスト画像が生成される。
【００９４】
図11は，ユーザの表示装置に表示される画像遷移を示している。
【００９５】
この実施例による画像通信システムにおいては，上述したようにサーバ１に最初にアクセスすると，ユーザの表示装置にはログオン画像50が表示される。ログオン画像50によってサーバ１にアクセスしたユーザが権限を有するものかどうかか確認される。権限をもつユーザであることが確認されると，ユーザの表示装置には，スタート画像が表示される。
【００９６】
上述したようにスタート画像は，ユーザによって異ならせることができる。たとえば，ユーザＡおよびＢのスタート画像は，年代別作家一覧の画像57（上述したユーザ情報の検索条件にしたがってカテゴリ検索をした結果，得られる画像の１つである）である。ユーザＣおよびＤのスタート画像は，テーマ別一覧の画像56（この画像も上述したユーザ情報の検索条件にしたがってカテゴリ検索をした結果，得られる画像の１つである）である。
【００９７】
さらに，この実施例による画像通信システムにおいては，上述したように画像のリンク先もユーザによって変えることができる。たとえば，スタート画像として年代別一覧画像57が表示されているユーザＡまたはＢが「ＮＯＲＩ−ＨＡＮＥＤＡ」という文字をクリックすると，ユーザＡがクリックしたときには，作品リスト画像61がユーザの表示装置に表示されるが，ユーザＢがクリックしたときには，アーティスト画像62がユーザの表示装置に表示される。
【００９８】
同様にして，スタート画像としてテーマ別一覧画像56が表示されているユーザＣまたはＤにおいて「ＮＯＲＩ−ＨＡＮＥＤＡ」という文字がクリックされると，ユーザＣがクリックしたときには，作品リスト画像61がユーザの表示装置に表示され，ユーザＤがクリックしたときにはアーティスト画像62がユーザの表示装置に表示される。
【００９９】
図12から図19は，画像レイアウト，リンク先などを示すスクリプトの一例を示している。
【０１００】
図12および図13は，図11に示す年代別一覧画像57を表示するためのスクリプトである。図12は，ユーザＡについてのスクリプトであり，図13はユーザＢについてのスクリプトである。これらのスクリプトにおいて「function１」がリンク先を示すもので，図12においてfunction１（作品リスト…）となっていることから，年代別一覧画像57から作品リスト画像61にリンクされる。また図13においてfunction１（アーティスト…）となっていることから，年代別一覧画像57からアーティスト画像62にリンクされる。
【０１０１】
図14および図15は，図11に示すテーマ別一覧画像56を表示するためのスクリプトである。図14はユーザＣについてのスクリプトであり，図15はユーザＤについてのスクリプトである。ユーザＣについてはテーマ別一覧画像56から作品リスト画像61にリンクされている。ユーザＤについてはテーマ別一覧画像56からアーティスト画像62にリンクされている。
【０１０２】
図16は，携帯電話33の表示装置に作品リスト画像を表示するためのスクリプト，図17は携帯型端末装置32の表示装置に作品リスト画像を表示するためのスクリプト，図18はノート型コンピュータ31の表示装置に作品リスト画像（図11に示す作品リスト画像）を表示するためのスクリプト，図19はパーソナル・コンピュータ30の表示装置に作品リスト画像を表示するためのスクリプトである。
【０１０３】
図12から図19に示すスクリプトにおいて，mod は，剰余を求める演算子，Txt15 は，「現代作家一覧」タイトルテキストファイルＩＤ，Txt16 は，「動物画像一覧」タイトルテキストファイルＩＤ，function1 は，引数１のページにリンク，引数２は検索条件（functionの小カッコ内においてカンマで区切られた文字列が引数である。引数が複数あるときには最初の引数を引数１，次の引数を引数２という），function3 は，引数１のフォントで表示，function4 は，テキストを引数のポイントで表示，function5 は，先頭から引数１の文字分だけ２倍の大きさで表示，function6 は，引数１以内の文字数で表示，function10は，引数１の色数で表示，function11は，引数１×引数２の大きさで表示，function21は，引数１の色を前景色，引数２の色を背景色にすること，function31は，引数の線幅で枠付け，function32は，引数１の線幅で下線を引くことをそれぞれ表わしている。
【０１０４】
また，＜と＞で囲まれた部分はタグとして解釈される。タグによってレイアウトやファイルの配置が実現される。
【０１０５】
レイアウトには段組とアライメントがある。
【０１０６】
段組は，次の書式で実現される。
0004094777.tif 000002
【０１０７】
段組の途中でcolumn 1の段を作ると，段組はネスト（階層構造）になる。
0004094777.tif 000003
【０１０８】
アライメントには，左寄せ，センタリング，右寄せがあり，次の書式で実現される。
0004094777.tif 000004
【０１０９】
さらに，複数の段組にわたって表示領域を作成する場合には次のようにする。
0004094777.tif 000005
column 1の途中で領域ＩＤ＝#1の表示領域を120 ×80の大きさで確保し，column 2の最初にその領域と結合した表示領域を使うということとなる。
【０１１０】
また，スクリプト内で管理ファイルの内容を取得するため，manageタグを使って次のように変数に値を取り込めるものとする。
#A＝＜manage（Img1，画像タイトル）＞
変数#AにファイルＩＤ＝Img1であるファイルの画像タイトルを代入する。
【０１１１】
さらに，スクリプト内に管理ファイルの配置を行いたい場合，次のように記述できるものとする。
＜file manage（Img1，画像タイトル）＞
ファイルＩＤ＝Img1の画像ではなく，Img1の画像タイトル（テキスト）をスクリプト内に配置する。
【０１１２】
また，ここでは，“＃”で始まる文字列を変数とする。また，検索結果をスクリプトに反映させるため，下記の検索変数を定義している。
##Count             検索にヒットした件数
##FileID()          検索にヒットしたファイルのファイルＩＤ配列
##SearchCondition   リンク先のページに渡す検索条件
たとえば，
##SearchCondition＝“ファイルフォーマット＝作者and生年月日≧1950/1/1”
【０１１３】
くり返し処理などを行うため，制御タグを定義している。
【０１１４】
if… then … else … endifタグ
これは条件付き解釈実行のタグである。条件に合致する場合のみ所定範囲のスクリプトを解釈するものである。
【０１１５】
for … to … nextタグ
繰り返し解釈実行のタグである。
【０１１６】
ファイルの配置は，基本的にfileタグとファイルＩＤの指定により実現される。必要に応じて処理を追加することができる。
【０１１７】
functionパラメータをfileタグに追加することによって処理が追加される。functionパラメータには引数を記述することができる。functionが複数ある場合，左から右の順に解釈される。
【０１１８】
たとえば，
＜file Img1＞
ファイルＩＤ＝Img1の（画像）ファイルの配置を意味する。
＜file Txt32 function3(2)＞
ファイルＩＤ＝Txt32 の（テキスト）ファイルの配置を意味する。その際，function 3で指定された処理をかける。例えば，太さ２の枠を付加する。カラー番号２の色で表示，などである。
＜file Btn12 function1(I101)＞
ファイルＩＤ＝Btn12 の（ボタン）ファイルを配置を意味する。function 1がリンクの設定であるとすると，I101（ユーザ定義の「作品リスト画像」）へのリンクが実行される。
＜file Img2 function4(400,300) function7(256)＞
function4(x,y)がｘ×ｙの大きさで，function7(i)が色数ｉで，という意味の処理であれば，画像ファイルImg2は400×300に最も近い画像が選択され，256 色以下のものがなければ減色処理を行ってから表示側に送信される。
【０１１９】
(2) 通信処理
図20から図41は，サーバ１とユーザの装置との間での通信の処理手順（所望の作品画像の検索）を示すフローチャートである。図42から図57は，ユーザの装置に接続されている表示装置に表示される画像の一例である。図42から図57においては，図47から図49および図57を除いてテキスト・データによって表される画像が示されているがユーザの装置がテキスト以外の画像（絵を表す画像）を表示できる場合には，それらの絵などを含む画像が表示される。
【０１２０】
Ｉ．ログオン処理
まず，ログオン処理が行われる。
【０１２１】
ユーザの装置によってログオン画像の送信要求が入力される（ステップ51）。すると，ログオン要求，ユーザの装置にインストールされている（もしくはインストールされていない）ブラウザの情報（どのようなブラウザがインストールされているか，またはブラウザがインストールされていないか）およびユーザの装置についての情報（たとえば，ユーザの装置に接続されている表示装置の表示可能な色数，表示可能な画像の大きさなど）が，ユーザの装置からサーバ１に送信される（ステップ52）。
【０１２２】
ユーザの装置から送信されたログオン画像要求，ブラウザ情報および装置情報がサーバ１によって受信される（ステップ201 ）。ユーザの装置から送信されたブラウザ情報および装置情報にもとづいて，ユーザの装置に接続されている表示装置に表示可能な適切なログオン画像を表す画像データががサーバ１のハードディスクから選択される（ステップ202 ）。サーバのハードディスクには，テキスト・ログオン画像，ＰＣ（パーソナル・コンピュータ）用ログオン画像（必要に応じてパーソナル・コンピュータ用ログオン画像とノート型コンピュータ用ログオン画像とが格納される），ＰＤＡ用ログオン画像および携帯電話用ログオン画像をそれぞれ表す画像データが格納されている。ユーザの装置に合った適切な画像データがサーバ１において選択される。選択されたログオン画像を表す画像データがサーバ１からユーザの装置に送信される（ステップ203 ）。
【０１２３】
ユーザの装置において，サーバ１から送信されたログオン画像を表す画像データが受信される（ステップ53）。受信した画像データは，表示装置に与えられ，ログオン画像が表示される（ステップ54，図42参照）。
【０１２４】
図42は，テキスト・ログオン画像の一例である。ユーザの装置にブラウザがインストールされていないときにはテキスト・ログオン画像が表示される。テキスト・ログオン画像においては，ユーザ名およびパスワードの入力指示が表示されている。ユーザは，この指示にしたがって，ユーザ名および自分のパスワードを入力する（ステップ55）。入力されたユーザ名およびパスワードがユーザの装置からサーバ１に送信される（ステップ56）。
【０１２５】
携帯電話用のログオン画像であればテキスト・ログオン画像にクリップ・アートなどの少しの飾りが付加される。ＰＤＡ用のログオン画像であれば携帯電話用のログオン画像にさらに飾りが付く。ＰＣ用のログオン画像であれば，ＰＤＡ用のログオン画像にさらに飾りが付くこととなる。サーバにアクセスした装置に適した（ブラウザに適した）ログオン画像がユーザの装置に接続されている表示装置に表示されることとなる。
【０１２６】
サーバ１において，ユーザの装置から送信されたユーザ名およびパスワードが受信される（ステップ204 ）。サーバ１のハートディスクに格納されているユーザ情報が参照される。ユーザの装置から送信されたユーザ名およびパスワードがユーザ情報に格納されているか，送信されたユーザ名とパスワードが合っているかどうかがチェックされる（ステップ205 ）。
【０１２７】
ユーザ名およびパスワードが一致しなければ（ステップ206 でＮＯ），サーバ１のハードディスクに格納されているテキスト・ログオン失敗画像を表すデータが読み出される。読み出された画像データは，サーバ１からユーザの装置に送信される（ステップ207 ）。
【０１２８】
ユーザの装置において，ログオン失敗画像を表すデータが受信される（ステップ57）。画像データは，ユーザの装置に接続されている表示装置に与えられる。これにより，ログオン失敗画像がユーザの装置に接続されている表示装置に表示される（ステップ58）。
【０１２９】
この実施例による画像通信システムは，ログオン画像の次にユーザの装置に接続されている表示装置に表示されるスタート画像をユーザが設定しておくことができる。このために，ユーザ名およびパスワードが一致すると（ステップ206 でＹＥＳ），ユーザ情報（図７参照）が参照され，ログオンしたユーザのスタート画像がユーザによって設定されているかどうかがチェックされる（ステップ209 ）。
【０１３０】
スタート画像が設定されていると（ステップ209 でＹＥＳ），図22に示すユーザ・スタート画像処理に移行する。
【０１３１】
II．ユーザ・スタート画像処理
スタート画像処理において，ユーザ情報を参照して，サーバ１にアクセスしているユーザのスタート画像を表すスタート画像情報（図７のユーザ情報のうちスタート画像の項目に格納されている情報）が読み出される（ステップ219 ）。スタート画像を表すスタート画像情報が読み出されると，図32に示すリンク処理に移行する。ユーザ情報から読み出されたスタート画像情報にもとづいて，スタート画像がどの画像かがチェックされる（ステップ311 から320 ）。設定されている画像がスタート画像としてログオン画像の次の画像としてユーザの装置に接続されている表示装置に表示される。
【０１３２】
いずれの画像にもスタート画像が該当しなければ，エラーであるとして図23に示すエラー画像処理に移行する。
【０１３３】
III．エラー画像処理
エラー画像処理においては，サーバ１のハードディスクに記録されているエラー画像を表す画像データのうちユーザの装置およびブラウザに適したエラー画像が選択される（ステップ221 ）。エラー画像がサーバ１において生成され，そのエラー画像を表すデータがサーバ１からユーザの装置に送信される（ステップ223 ）。
【０１３４】
ユーザの装置において，サーバ１から送信されたエラー画像を表すデータが受信されると（ステップ71），そのエラー画像を表すデータがユーザの装置に接続されている表示装置に与えられる。ユーザの表示装置にエラー画像が表示される（ステップ72）。
【０１３５】
エラー画像には，メニュー・ボタンも含まれておりこのメニュー・ボタンがユーザによって選択されると（ステップ73），メニュー・ボタンが選択されたことを示すデータがユーザの装置からサーバ１に送信される（ステップ74）。
【０１３６】
メニュー・ボタンが押されたことを示すデータがサーバ１において受信されると（ステップ223 ），図21に示すメニュー画像処理に移行する。
【０１３７】
ユーザによってスタート画像が設定されていないと（図20ステップ209 においてＮＯ），図21に示すメニュー画像処理に移行する。
【０１３８】
IV．メニュー画像処理
この実施例における画像通信システムでは，上述したようにユーザの表示装置に表示させる画像をユーザ自身がカスタマイズすることができる。ユーザ情報が検索され（ステップ211 ），メニュー画像がユーザによってカスタマイズされているかどうかがチェックされる。図７に示すユーザ情報において「なし」と表示されているとユーザによってカスタマイズされていないことを示している。カスタマイズされていないと，所定の画像が表示されることとなる。
【０１３９】
ユーザによってメニュー画像がカスタマイズされていないと（ステップ212 でＮＯ），所定のメニュー画像を表すデータのうち，サーバ１にアクセスしているユーザの装置およびブラウザに適したデータがサーバ１のハードディスクから読み出される（ステップ214 ）。読み出されたメニュー画像を表すデータがサーバ１からユーザの装置に送信される（ステップ215 ）。
【０１４０】
ユーザによってメニュー画像がカスタマイズされていると（ステップ212 でＹＥＳ），そのカスタマイズされているメニュー画像（ユーザ画像）を表すデータがサーバ１のハードディスクから出される。読み出されたメニュー画像を表すデータがサーバ１からユーザの装置に送信される（ステップ215 ）。
【０１４１】
ユーザによってメニュー画像がカスタマイズされている場合でも，そのカスタマイズされたメニュー画像を表示できない装置によって，サーバ１にアクセスしていることがある。その場合にはカスタマイズされたメニュー画像を表わすデータのうちユーザの装置が表示可能なデータ（たとえば，テキスト・データ）がサーバ１からユーザの装置に送信される。
【０１４２】
ユーザの装置において，サーバ１から送信されたメニュー画像を表すデータが受信されると（ステップ61），そのメニュー画像を表すデータがユーザの表示装置に与えられる。ユーザの表示装置には，図43に示すようにメニュー画像が表示される（ステップ62）。
【０１４３】
メニュー画像には，「１．カスタマイズ用画像」，「２．カテゴリ検索画像」，「３．キーワード検索画像」の項目が表示されている。ユーザは，これらの項目の中から表示装置に表示させる画像の項目を選択する（ステップ63）。選択された項目を表すデータがユーザの装置からサーバ１に送信される（ステップ64）。
【０１４４】
サーバ１において，ユーザの装置から送信された項目を表すデータが受信されると（ステップ216 ），それが「１．カスタマイズ用画像」，「２．カテゴリ検索画像」および「３．キーワード検索画像」の中のどの画像の表示要求かがチェックされる（ステップ217 ，218 ）。
【０１４５】
ユーザが「１．カスタマイズ用画像」を選択したのであれば（ステップ217 でＹＥＳ），図33に示すカスタマイズ・メニュー処理が行われる。
【０１４６】
Ｖ．カスタマイズ・メニュー処理
図33を参照して，ユーザの装置およびブラウザに適したカスタマイズ・メニュー画像を表すデータがサーバ１から読み出される（ステップ331 ）。読み出されたデータがサーバ１からユーザの装置に送信される（ステップ332 ）。
【０１４７】
ユーザの装置において，サーバ１から送信されたカスタマイズ・メニュー画像を表すデータが受信されると（ステップ101 ），ユーザの表示装置には，図50に示すようにカスタマイズ・メニュー画像が表示される（ステップ102 ）。カスタマイズ・メニュー画像には，ユーザがカスタマイズする画像の選択指示が表示されている。カスタマイズできる画像には，ここでは「１．スタート画像」（どの画像をスタート画像とするか，すなわち，ログオン画像の次の表示される画像を設定），「２．メニュー画像」，「３．カスタマイズ用画像」，「４．カテゴリ検索画像」，「５．キーワード検索画像」，「６．作品リスト画像」，「７．アーティスト画像」がある。ユーザは，これらの画像を示す項目の中からカスタマイズする画像を選択する（ステップ103 ）。選択した項目（画像）を示すデータがユーザの装置からサーバ１に送信される（ステップ104 ）。
【０１４８】
ユーザにおいて選択した項目を示すデータがサーバ１において受信されると（ステップ333 ），スタート画像の設定を示すものかどうかがチェックされる（ステップ334 ）。
【０１４９】
ユーザによって選択された項目がスタート画像の設定を示すものであれば（ステップ334 でＹＥＳ），図34に示すスタート画像設定処理に移行する。
【０１５０】
VI．スタート画像設定処理
図34を参照して，ユーザの装置およびブラウザに適したスタート画像設定画像がサーバ１のハードディスクから読み出される（ステップ341 ）。読み出されたスタート画像設定画像を表すデータがサーバ１からユーザの装置に送信される（ステップ342 ）。
【０１５１】
ユーザの装置において，サーバ１から送信されたスタート画像設定画像を表すデータが受信されると（ステップ111 ），そのスタート画像設定画像を表すデータがユーザの表示装置に与えられる。スタート画像設定画像がユーザの表示装置に表示される（ステップ112 ）。
【０１５２】
図51は，ユーザの表示装置に表示されるスタート画像設定画像の一例である。
【０１５３】
スタート画像設定画像には，スタート画像選択の指示および選択できるスタート画像の項目が表示されている。この実施例においては，スタート画像は，「１メニュー画像」，「２．カスタマイズ画像」，「３．カテゴリ検索画像」，「４．キーワード検索画像」，「５．カテゴリ検索結果画像」，「６．作品リスト画像」，「７．アーティスト画像」を選択することができ，これらの項目がスタート画像設定画像に表示されている。ユーザによっていずれかの項目が選択される（ステップ113 ）。選択された項目を表すデータがユーザの装置からサーバ１に送信される（ステップ114 ）。
【０１５４】
サーバ１において，ユーザの装置から送信された選択された項目を表すデータが受信される（ステップ343 ）。受信したデータにもとづいて，スタート画像がユーザ情報の対応するスタート画像項目に書き込まれる（ステップ344 ）。たとえば，ユーザＡがスタート画像に「５．カテゴリ検索結果画像」を選択したときには，図７に示すユーザ情報のスタート画像の項目に「カテゴリ検索結果」と書き込まれる。その後，図33に示すカスタマイズ・メニュー画像処理に戻る。
【０１５５】
ユーザの表示装置に図50に示すカスタマイズ・メニュー画像が表示されているときにスタート画像のカスタマイズ以外が選択されると（ステップ334 でＮＯ），図35に示す画像編集メイン処理に移行する。画像編集メイン処理は，画像編集を，項目を追加することにより行うかスクリプト編集により一括して行うかを設定するものである。
【０１５６】
VII．画像編集メイン処理
画像編集メイン処理においては，まず，サーバ１においてユーザの装置およびそのブラウザに適した画像編集画像を表すデータが読み出される（ステップ351 ）。読み出された画像編集画像を表すデータがサーバ１からユーザの装置に送信される（ステップ352 ）。
【０１５７】
ユーザの装置においてサーバ１から送信された画像編集画像を表すデータが受信されると（ステップ121 ），その画像編集画像を表すデータがユーザの表示装置に与えられる（ステップ122 ）。ユーザの表示装置には，図52に示すような画像編集画像が表示される（ステップ123 ）。画像編集画像には，「項目の追加またはスクリプト編集しますか。項目の追加のときは，追加する項目を入力してください。」と表示される。
【０１５８】
ユーザは，画像編集画像の表示にしたがって，項目の追加またはスクリプト編集のいずれを行うかの指令をユーザの装置に入力する。また，項目の追加ならば，どの項目を追加するかが入力される（ステップ124 ）。ユーザによって選択された項目の追加（および追加する項目名）またはスクリプト編集を示す選択データがユーザの装置からサーバ１に送信される（ステップ124 ）。
【０１５９】
サーバ１において，ユーザの装置から送信された選択データが受信されると（ステップ353 ），ページ編集終了か（ステップ354 ），スクリプト編集か（ステップ355 ），項目の追加かどうかが判定される。
【０１６０】
画像編集終了であれば（図52においては省略してあるが画像編集修了もユーザが指定できる）（ステップ354 でＹＥＳ），図33に示すカスタマイズ・メニュー画像処理に移行する。
【０１６１】
スクリプト編集であれば（ステップ355 でＹＥＳ），図36に示すスクリプト編集処理に移行する。
【０１６２】
VIII．スクリプト編集処理
図36を参照して，スクリプト編集処理であればユーザの装置およびブラウザに適したスクリプト編集画像を表すデータがサーバのハードディスクから読み出される（ステップ361 ）。また，ユーザがカスタマイズしようとしている編集画像についてのスクリプトが初期化される（ステップ362 ）。読み出されたデータがサーバ１からユーザの装置に送信される（ステップ363 ）。
【０１６３】
ユーザの装置において，サーバから送信されたスクリプト編集画像を表すデータが受信されると（ステップ131 ），ユーザの表示装置にそのスクリプト編集画像を表すデータが与えられる。ユーザの装置には，図53に示すようなスクリプト編集画像が表示される（ステップ132 ）。
【０１６４】
スクリプト編集画像には，「スクリプトにより一括編集を行います。スクリプトを入力して下さい。」との文字が表示される。ユーザによってスクリプトが入力されると（ステップ133 ），その入力されたスクリプトがスクリプト編集画像上に表示されていく。ユーザによって入力されたスクリプトを示すデータは，ユーザの装置からサーバ１に送信される（ステップ134 ）。
【０１６５】
サーバ１において，ユーザの装置から送信されたスクリプトを示すデータが受信されると（ステップ364 ），スクリプト編集中止要求かどうかが判定される（ステップ365 ）（図53においては省略しているが，スクリプト編集中止もユーザが入力できる）。
【０１６６】
スクリプト編集中止要求であれば（ステップ365 でＹＥＳ），図35に示す画像編集メイン処理に戻る。
【０１６７】
スクリプト編集中止要求でなければ（ステップ365 でＮＯ），送信されたスクリプトを表すデータにエラーがあるかどうかがチェックされる（ステップ366 ，367 ）。
【０１６８】
エラーがあれば（ステップ367 でＹＥＳ），エラー・メッセージをスクリプト・エラーとし，その内容をスクリプトとして書き込む（ステップ368 ）。ユーザから送信されたスクリプトを，ユーザに送信するように設定される（ステップ369 ）。ユーザから送信されたスクリプトがユーザに返される。
【０１６９】
スクリプト・エラーが発生しなければ（ステップ367 でＮＯ），編集されたスクリプトによって規定される編集画像を構成する画像を表すファイルがサーバ１のハードディスクに格納されていない新規なものかどうかが判定される（ステップ370 ）。
【０１７０】
新規ファイルがなければ（ステップ370 でＮＯ），図38に示すカスタマイズ内容反映処理に移行する。
【０１７１】
IX．カスタマイズ内容反映処理
ユーザから送信されたスクリプトにしたがって，ユーザによって選択された画像を表すデータが更新される。更新されたデータがサーバ１のハードディスクに格納される（ステップ392 ）。また，カスタマイズされた画像についてのユーザ情報が更新される（ステップ393 ）。その後，図31に示すカスタマイズ処理に移行する。
【０１７２】
新規ファイルがあると（ステップ370 でＹＥＳ），図37に示す新規ファイル送信処理に移行する。
【０１７３】
Ｘ．新規ファイル送信処理
サーバにおいて，ユーザの装置およびブラウザに適したファイル送信画像を表すデータが読み出される（ステップ381 ）。エラー・メッセージが初期化され，送信ファイル・リストが全新規ファイルに設定される（すべての新規ファイルをサーバに送信するように設定）（ステップ382 ）。ファイル送信画像を表すデータ，エラー・メッセージおよび送信ファイル・リストがサーバ１からユーザの装置に送信される（ステップ383 ）。
【０１７４】
ファイル送信画像を表すデータ，エラー・メッセージおよび送信ファイル・リストがユーザの装置において受信されると（ステップ141 ），これらの受信したデータがユーザの表示装置に送信される（ステップ142 ）。ユーザの装置には，図54に示すように，ファイル送信画像が表示される（ステップ142 ）。ユーザによって新規画像ファイルを示すファイル名が入力される（ステップ143 ）。入力されたファイル名がファイル送信画像に表示される。入力されたファイル名によって特定されるファイルがユーザの装置から読み出され，サーバ１に送信される（ステップ144 ）。
【０１７５】
サーバ１において，ユーザの装置から送信されたファイルは，サーバ１によって受信される（ステップ384 ）。ユーザからスクリプト編集中止要求があったかどうかがチェックされる（ステップ385 ）（図54においては図示を省略してあるがスクリプト編集中止要求もユーザは設定できる）。
【０１７６】
スクリプト編集中止要求があれば（ステップ385 でＹＥＳ），図35に示す画像編集メイン処理に移行する。
【０１７７】
スクリプト編集中止要求がなければ（ステップ385 でＮＯ），送信されたファイルにエラーがあるかどうかがチェックされる（ステップ386 ，387 ）。
【０１７８】
エラーが含まれていると（ステップ387 でＹＥＳ），エラー・メッセージがファイル転送エラーと書き込まれ（ステップ388 ），送信ファイル・リストがエラー・ファイルとされ，エラーとなった新規ファイルを再度送信するように設定される（ステップ389 ）。その後ステップ383 からの処理が繰り返され，エラー・メッセージがサーバ１からユーザの装置に送信される。
【０１７９】
エラーが含まれていなければ（ステップ387 でＮＯ），図38に示すカスタマイズ内容反映処理に移行する。
【０１８０】
カスタマイズ内容反映処理において，サーバ１において受信した新規ファイルがサーバに格納される（ステップ391 ）。その後，選択された画像について行われたカスタマイズ後の画像を表すデータがサーバ１のハードディスクに格納される（ステップ392 ）。また，ユーザ情報が更新される（ステップ393 ）。その後，図33に示すカスタマイズ・メニュー画像処理が繰り返される。
【０１８１】
図21に戻って，メニュー画像においてユーザがカテゴリ検索画像を設定していると（ステップ218 でＹＥＳ），図26に示すカテゴリ検索画像処理に移行する。
【０１８２】
XI．カテゴリ検索画像処理
まず，ユーザがカスタマイズした固有のカテゴリ検索画像（ユーザ画像）を表すデータがサーバ１のハードディスクに格納されているかどうかがユーザ情報を参照して確認される（ステップ251 ）。ユーザ固有のカテゴリ検索画像を表すデータがあると（ステップ252 でＹＥＳ），そのユーザ固有のカテゴリ検索画像を表すデータがハードディスクから読み出される（ステップ253 ）。ユーザ固有のカテゴリ検索画像を表すデータがサーバ１に格納されていないと（ステップ252 でＮＯ），ユーザの装置およびブラウザに適したカテゴリ検索画像を表すデータがサーバ１のハードディスクから読み出される（ステップ255 ）。読み出されたカテゴリ検索画像を表すデータがサーバ１からユーザの装置に送信される（ステップ254 ）。
【０１８３】
ユーザの装置において，サーバ１から送信されたカテゴリ検索画像を表すデータが受信されると（ステップ81），その受信したデータはユーザの表示装置に与えられる（ステップ82）。ユーザの表示装置には，図45に示すカテゴリ検索画像が表示されることとなる。カテゴリ検索画像には，検索すべきカテゴリが表示される。図45に示す例では，「１．アーティスト別」，「２．テーマ別」，「３．年代別」「４．国別」および「５．データ・フォーマット別」がある。ユーザによっていずれかのカテゴリが選択される（ステップ83）。選択されたカテゴリを表すデータは，ユーザの装置からサーバ１に送信される（ステップ84）。
【０１８４】
サーバ１において受信されたカテゴリを表すデータにもとづいて（ステップ256 ），作品画像の検索処理が実行される（ステップ257 ）。その後，図27に示すカテゴリ検索結果処理に移行する。
【０１８５】
XII．カテゴリ検索結果処理
図27を参照して，ユーザがカスタマイズしているカテゴリ検索結果画像がユーザ情報において検索される（ステップ261 ）。ユーザがカテゴリ検索結果画像についてカスタマイズしていれば，ユーザのカスタマイズ画像（ユーザ画像）があるので，そのユーザについてのカテゴリ検索結果画像がサーバ１のハードディスクから探し出される（ステップ263 ）。ユーザがカテゴリ検索結果画像についてカスタマイズしていなければ，デフォルトの検索結果画像のうち，ユーザの装置およびブラウザに適した検索結果画像がサーバ１のハードディスクから読み出される（ステップ264 ）。いずれにしても，検索結果画像がサーバ１のハードディスクから読み出されると，図31に示す編集画像作成処理に移行する。
【０１８６】
VIII．編集画像作成処理
図31を参照して，作成すべき編集画像に適した追加プログラムがサーバ１のハードディスクから読み出される（ステップ301 ）。この場合であれば，検索結果画像を作成するために適した追加プログラム（たとえば，ユーザがスクリプトにおいて定義した処理を実行するためのプログラムなど）がサーバ１のハードディスクから読み出される。検索結果画像を作成するために必要なファイル（画像ファイル，文章（テキスト）ファイル，ボタン・ファイル，音ファイルなど）がサーバ１のハードディスクから読み出され，検索結果画像が作成される（ステップ302 ）。作成された検索結果を表す編集画像を表すデータがサーバ１からユーザの装置に送信される（ステップ303 ）。
【０１８７】
ユーザの装置において，サーバ１から送信された検索結果を表す編集画像データが受信される（ステップ91）。検索結果を表す編集画像データがユーザの表示装置に与えられることにより，ユーザの表示装置に検索結果を示す編集画像が表示される（ステップ92）。検索結果画像に表示されているリンク先（画像，テキスト，ＵＲＬ名など）がユーザによって指定される（ステップ93）。指定されたリンク先を示すデータがユーザの装置からサーバ１に送信される（ステップ94）。
【０１８８】
サーバ１においてユーザの装置から送信されたリンク先を示すデータが受信される（ステップ304 ）。図30に示すリンク処理に移行し，ユーザの所望の画像を表すデータがサーバ１からユーザの装置に送信されることとなる。
【０１８９】
図21に戻って，ユーザの表示装置に表示されているメニュー画像（図43参照）においてユーザが「３．キーワード検索画像」が選択したときには，図24に示すキーワード検索画像処理に移行する（ステップ28でＮＯ）。
【０１９０】
XIV．キーワード検索画像処理
図24を参照して，ユーザによってカスタマイズされているキーワード検索画像がユーザ情報にもとづいて検索される（ステップ231 ）。ユーザによってカスタマイズされているキーワード検索画像（ユーザ画像）があれば（ステップ232 でＹＥＳ），その画像を表わすデータがサーバ１のハードディスクから読み出される（ステップ233 ）。ユーザによってカスタマイズされているキーワード検索画像がなければ（ステップ232 でＮＯ），デフォルトのキーワード検索画像がサーバ１のハードディスクから読み出される（ステップ235 ）。いずれにしても，サーバ１のハードディスクから読み出されたキーワード検索画像を表すデータがサーバ１からユーザの装置に送信される（ステップ234 ）。
【０１９１】
ユーザの装置において，サーバ１から送信されたキーワード検索画像を表すデータが受信される（ステップ75）。受信されたキーワード検索画像を表すデータは，ユーザの表示装置に与えられ図44に示すようなキーワード検索画像が表示される（ステップ76）。
【０１９２】
キーワード検索画像には，「キーワードを入力して下さい」という指示が表示される。この指示にしたがって，ユーザは，キーワードを入力する（ステップ77）。入力されたキーワードがユーザの表示装置に表示される。入力されたキーワードは，ユーザの装置からサーバ１に送信される（ステップ78）。
【０１９３】
サーバ１においてユーザの装置から送信されたキーワードを表すデータが受信される（ステップ236 ）。サーバにおいて，受信されたキーワードにもとづいて検索処理が実行される（ステップ237 ）。すると，図25に示す検索結果画像処理に移行する。
【０１９４】
XV．検索結果画像処理
図25において，ユーザによってカスタマイズされている検索結果画像があるかどうかがユーザ情報において検索される（ステップ241 ）。検索によりユーザによってカスタマイズされている検索結果画像がある場合には（ステップ242 でＹＥＳ），その検索結果画像を表すデータがサーバ１のハードディスクから読み出される（ステップ243 ）。ユーザによってカスタマイズされている検索結果画像がない場合には，（ステップ242 でＮＯ），ユーザの装置およびブラウザに適した所定の検索結果画像を表すデータがサーバのハードディスクから読み出される（ステップ244 ）。その後，図31に示す編集画像作成処理に移行し，上述したカテゴリ検索画像作成処理と同様にしてキーワード検索結果画像が作成され，ユーザの装置に送信される。
【０１９５】
ユーザの表示装置には，キーワード検索結果画像が表示されることとなる。
【０１９６】
リンク処理において（図32参照）において，作品リスト画像をユーザの表示装置に表示させるときには（ステップ318 でＹＥＳ），図28に示す作品リスト処理に移行する。
【０１９７】
XVI．作品リスト処理
図28を参照して，ユーザによってカスタマイズされた作品リスト画像がユーザ情報において検索される（ステップ271 ）。ユーザによってカスタマイズされた作品リスト画像（ユーザ画像）がサーバ１にあれば（ステップ272 でＹＥＳ），その作品リスト画像を表すデータがサーバ１のハードディスクから読み出される（ステップ273 ）。ユーザによってカスタマイズされた作品リスト画像がサーバ１に無ければ（ステップ272 でＮＯ），サーバ１のハードディスクに格納されている所定の作品リスト画像のうち，ユーザの装置に適した作品リスト画像を表すデータが読み出される（ステップ274 ）。その後図31に示す編集画像作成処理に移行し，作品リスト画像を表すデータが作成される。作成された作品リスト画像を表すデータがサーバ１からユーザの装置に送信され，ユーザの表示装置に，作品リスト画像が表示される。
【０１９８】
図46から図49は，作品リスト画像の一例である。
【０１９９】
図44は，ユーザの装置が携帯電話（またはユーザの装置がテキストのみを表示できる装置）であるときに表示される作品リスト画像である。携帯電話では，画像を表示することが比較的難しい。このために，携帯電話の表示装置に適した作品リスト画像が表示される。
【０２００】
図46は，ユーザの装置が携帯端末であるときに表示される作品リスト画像である。携帯端末は，画像を表示することはできるが表示装置の表示画面は，あまり大きくない。このため，あまり大きくない作品リスト画像携帯端末の表示装置に表示される。
【０２０１】
図47は，ユーザの装置パーソナル・コンピュータであり，そのパーソナル・コンピュータに小さな表示装置が接続されているときに，表示される作品リスト画像である。比較的大きな作品リスト画像が表示される。
【０２０２】
図49は，ユーザの装置パーソナル・コンピュータであり，大きな表示画面をもつ表示装置が接続されているときに，表示される作品リスト画像である。大きな表示画面に表示されるのに適した作品リスト画像が表示される。
【０２０３】
図47に示す作品リスト画像においては小さい画像が用いられており，図48に示す作品リスト画像においては中位の大きさの画像が用いられており，図49に示す作品リスト画像においては大きい画像が用いられている。このように，ユーザの装置に応じて大きさの異なる画像により構成される作品リスト画像を表わすデータが，サーバ１からユーザの装置に送信される。また必要に応じて色数の減色処理も行なわれることとなろう。
【０２０４】
XVII．アーティスト画像処理
図29は，アーティスト画像処理を示している。
【０２０５】
アーティスト画像にリンクされるときには，サーバ１のハードディスクにおいてユーザによってカスタマイズされたアーティスト画像が検索される（ステップ281 ）。ユーザによってカスタマイズされたアーティスト画像があれば（ステップ282 でＹＥＳ），そのカスタマイズされた画像を表すデータがサーバ１のハードディスクから読み出される（ステップ283 ）。ユーザによってカスタマイズされたアーティスト画像がなければ（ステップ282 でＮＯ），ユーザの装置およびブラウザに適したアーティスト画像を表すデータがサーバ１のハードディスクから読み出される（ステップ284 ）。図31に示す編集画像作成処理において読み出されたデータからアーティスト画像を表すデータが作成される。作成されたアーティスト画像を表すデータがユーザの装置に送信され，ユーザの装置およびブラウザに適したアーティスト画像またはユーザによってカスタマイズされたアーティスト画像がユーザの表示装置に表示される。
【０２０６】
XVIII．作品画像処理
図30は，作品画像処理を示している。
【０２０７】
作品画像にリンクされるときには，サーバ１のハードディスクにおいてユーザよってカスタマイズされた作品画像が検索される（ステップ291 ）。ユーザによってカスタマイズされた作品画像（ユーザ画像）があれば（ステップ292 でＹＥＳ），そのカスタマイズされた作品画像を表すデータがサーバ１のハードディスクから読み出される（ステップ293 ）。ユーザによってカスタマイズされた作品画像がなければ（ステップ292 でＮＯ），デフォルトの作品画像のうちユーザの装置およびブラウザに適した作品画像がサーバ１のハードディスクから読み出される（ステップ294 ）。いずれにしても，サーバ１のハードディスクから読み出された作品画像についての処理にもとづいて，作品画像を表すデータが生成され，ユーザの装置に送信される。ユーザの表示装置に，ユーザによってカスタマイズされた作品画像またはユーザの装置およびブラウザに適した作品画像が表示される。
【０２０８】
作品画像，アーティスト画像などを表示するときには上述したように図８（Ａ）〜図10（Ａ）および（Ｂ）に示したように各ファイル・グループが検索され，該当するファイルが用いられるのはいうまでもない。
【０２０９】
図35に戻って，スクリプト編集でなければ，画像の項目を追加することにより画像のカスタマイズを行うものである（ステップ355 でＮＯ）。
【０２１０】
まず，スクリプトが初期化される（ステップ356 ）。その後，画像項目追加処理に移行する（ステップ357 ）。画像項目追加処理については，次に述べる。画像項目追加処理が終了するとその画像項目追加処理において新規ファイルが追加されたかどうかがチェックされる（ステップ358 ）。新規ファイルが追加されていると（ステップ358 でＹＥＳ），図37に示す新規ファイル追加処理に移行する。新規ファイルが追加されていないと（ステップ358 でＮＯ），図38に示すカスタマイズ内容反映処理に移行する。いずれにしても上述したように，カスタマイズによって表示項目が追加されたことによりユーザ情報が更新される。
【０２１１】
XIX．画像項目追加処理
図38は，画像項目追加処理を示すフローチャートである。
【０２１２】
ユーザの装置およびブラウザに適した追加項目選択画像を表すデータがサーバ１のハードディスクから読み出される（ステップ401 ）。読み出された追加項目選択画像を表すデータがサーバ１からユーザの装置に送信される（ステップ402 ）。
【０２１３】
ユーザの装置において，追加項目選択画像を表すデータが受信され（ステップ151 ），ユーザの表示装置に与えられる（ステップ152 ）。ユーザの表示装置には，図55に示すような追加項目選択画像が表示される（ステップ152 ）。
【０２１４】
追加項目選択画像には，「レイアウトの追加またはファイル配置を行いますか」の質問のテキストが表示される。ユーザは，このテキストに応じて，「レイアウトの追加」または「ファイル配置」のうち所望の処理を選択する（ステップ153 ）。選択された内容を表すデータがユーザの装置からサーバ１に送信される（ステップ154 ）。
【０２１５】
サーバ１において，ユーザの装置から送信された選択の内容を表すデータが受信される（ステップ403 ）。受信された内容が画像編集中止要求であれば（ステップ404 でＹＥＳ）（図55においては画像編集中止および後述する画像編集終了について図示を省略しているが，これらの中止または終了をユーザは設定できる），図35に示す画像編集メイン処理に移行し，必要であれば再び画像編集処理が行われる。受信した内容が画像編集終了要求であれば（ステップ405 でＹＥＳ），画像要素追加処理は終了する。受信した内容がレイアウト追加処理であれば（ステップ406 でＹＥＳ），図40に示すレイアウト追加処理に移行する（ステップ407 ）。受信した内容がファイル配置処理であれば（ステップ406 でＮＯ），図41に示すファイル配置処理に移行する（ステップ408 でＮＯ）。
【０２１６】
XX．レイアウト追加処理
図40を参照して，レイアウト追加処理について説明する。
【０２１７】
ユーザの装置およびブラウザに適したレイアウト選択画像を表すデータがサーバ１のハードディスクから読みだされる（ステップ411 ）。読みだされたデータがサーバ１からユーザの装置に送信される（ステップ412 ）。
【０２１８】
ユーザの装置において，サーバ１から送信されたレイアウト選択画像を表すデータが受信される（ステップ161 ）。レイアウト選択画像を表すデータがユーザの表示装置に与えられ，図56に示すようなレイアウト選択画像が表示される（ステップ162 ）。レイアウト選択画像には，「変更するレイアウトを入力して下さい」との指示が表示される。ユーザは，この指示にしたがって変更するレイアウトたとえば，テキストの右寄せ，左寄せ，センタリング，段組などを入力する（ステップ163 ）。入力されたレイアウト指示がユーザの装置からサーバ１に送信される（ステップ164 ）。
【０２１９】
サーバ１において，ユーザの装置から送信されたレイアウト指示が受信される（ステップ413 ）。受信された指示が画像編集中止要求であれば図35に示す画像処理メイン処理に移行する（ステップ414 でＹＥＳ）。受信した指示がレイアウト選択中止であれば（ステップ415 でＹＥＳ），レイアウト追加処理は終了する（図56においては図示を省略しているが画像編集中止またはレイアウト選択中止をユーザは設定できる）。レイアウト選択中止処理でなければ（ステップ415 でＮＯ），レイアウト追加処理の対象となっている画像のスクリプトに，ユーザによって指示されたレイアウト追加のタグが追加される（ステップ416 ）。その後，上述した画像要素追加処理において，その追加されたタグによってレイアウトが指定される要素（画像，テキスト，ボタン，など）がスクリプトに追加される（ステップ417 ）。
【０２２０】
XXI．ファイル配置処理
図41は，ファイル配置処理を示すフローチャートである。
【０２２１】
ユーザの装置およびブラウザに適したファイル配置画像を表すデータがサーバ１のハードディスクから読みだされる（ステップ421 ）。読みだされたデータがサーバ１からユーザの装置に送信される（ステップ422 ）。
【０２２２】
ユーザの装置において，サーバ１から送信されたファイル配置画像を表すデータが受信される（ステップ171 ）。ユーザの表示装置に，図57に示すようなファイル配置画像が表示される（ステップ172 ）。
【０２２３】
ファイル配置画像には，次の各領域が含まれている。
【０２２４】
配置ファイル領域501；
この配置ファイル領域には，タイトル・テキストファイルを配置させるときにユーザによってチェックさせる領域502 ，作者画像ファイルを配置させるときにユーザによってチェックさせる領域503 および作品画像ファイルを配置させるときにユーザによってチェックさせる領域504 が含まれている。ユーザが配置させるべきファイルに対応した領域502 ，503 および504 がユーザによってチェックされる。
【０２２５】
表示対象領域505；
配置ファイル領域501 において選択されたファイル（管理ファイル）のうち表示させるべき対象（たとえば，画像，作者名，タイトルなど）を指定するためものである。
【０２２６】
表示オプション領域510；
この表示オブション領域510 には，さらに，次の領域が含まれている。
【０２２７】
リンク設定領域511；
リンク先を設定する領域である。
【０２２８】
検索条件領域512；
検索によりヒットさせるべき検索対象を指定するためものである。たとえば，ある年代以上の作品のみを検索対象とするときに，その年代がユーザによって入力される。
【０２２９】
表示領域513および514；
画像，テキスト，ボタンを表示する領域を指定するものである。領域513 に横のサイズが入力され，領域514 に縦のサイズが入力される。
【０２３０】
色指定領域515；
表示すべき色を特定する色番号を入力する領域である。
【０２３１】
色数指定領域516；
表示すべき色数を指定する領域である。たとえば， 256色，1600万色などが入力される。
【０２３２】
フォント指定領域517；
表示されるフォントを指定する領域である。たとえば，ゴシック体，明朝体と入力される。
【０２３３】
ポイント指定領域518；
文字の大きさを指定する領域である。
【０２３４】
強調指定入力519；
文字を強調するときに入力するものである。たとえば，下線，文字の反転，中抜き文字などが入力される。
【０２３５】
ファイル配置画像には，そのほかに，配置が決定されたときにユーザによってクリックされる領域521 ，配置処理を中止するときにユーザによってクリックされる配置中止領域522 および編集中止のときにユーザによってクリックされる編集中止領域523 がある。
【０２３６】
ユーザによってファイル選択画像を用いて所定の選択処理が行われる（ステップ173 ）。選択された内容を示すデータがユーザの装置からサーバ１に送信される（ステップ174 ）。
【０２３７】
サーバ１において，ユーザから送信された選択内容を示すデータが受信される（ステップ423 ）。受信した内容が画像編集中止であれば（ステップ424 でＹＥＳ），図35に示す画像編集メイン処理に移行する。ファイル配置中止処理であれば（ステップ425 でＹＥＳ），ファイル配置処理が終了する。ファイル配置中止処理でなければ，ユーザによって選択された処理に応じて，編集対象となる画像の何のスクリプトにファイル・タグが追加される（ステップ426 ）。これにより，ユーザが選択した位置にファイルが配置されることとなる。
【０２３８】
ユーザが，ユーザの表示装置に表示される画像を比較的自由にカスタマイズすることができることとなる。しかも，カスタマイズしていないときには，ユーザの装置およびブラウザに適した画像がユーザの表示装置に表示されることとなる。
【図面の簡単な説明】
【図１】画像通信システムの概要を示している。
【図２】サーバの電気的構成を示すブロック図である。
【図３】サーバに格納されているソフトウエア等を示している。
【図４】パーソナル・コンピュータの電気的構成を示すブロック図である。
【図５】パーソナル・コンピュータに格納されているソフトウエア等を示している。
【図６】画像遷移を示している。
【図７】ユーザ情報を示している。
【図８】（Ａ）は，アーティスト画像管理ファイルを示し，（Ｂ）から（Ｄ）は，アーティスト画像ファイルを示している。
【図９】（Ａ）は，作品画像管理ファイルを示し，（Ｂ）および（Ｃ）は，作品画像ファイルを示している。
【図１０】（Ａ）は，テキスト管理ファイルを示し，（Ｂ）は，テキスト・ファイルを示している。
【図１１】画像遷移を示している。
【図１２】スクリプトの一例を示している。
【図１３】スクリプトの一例を示している。
【図１４】スクリプトの一例を示している。
【図１５】スクリプトの一例を示している。
【図１６】スクリプトの一例を示している。
【図１７】スクリプトの一例を示している。
【図１８】スクリプトの一例を示している。
【図１９】スクリプトの一例を示している。
【図２０】ログオン処理を示すフローチャートである。
【図２１】メニュー画像処理を示すフローチャートである。
【図２２】ユーザ・スタート画像処理を示すフローチャートである。
【図２３】エラー画像処理を示すフローチャートである。
【図２４】キーワード検索処理を示すフローチャートである。
【図２５】検索結果画像処理を示すフローチャートである。
【図２６】カテゴリ検索画像処理を示すフローチャートである。
【図２７】カテゴリ検索結果処理を示すフローチャートである。
【図２８】作品リスト処理を示すフローチャートである。
【図２９】アーティスト画像処理を示すフローチャートである。
【図３０】作品画像処理を示すフローチャートである。
【図３１】編集画像処理を示すフローチャートである。
【図３２】リンク処理を示すフローチャートである。
【図３３】カスタマイズ・メニュー処理を示すフローチャートである。
【図３４】スタート画像設定処理を示すフローチャートである。
【図３５】画像編集メイン処理を示すフローチャートである。
【図３６】スクリプト一括編集処理を示すフローチャートである。
【図３７】新規ファイル送信処理を示すフローチャートである。
【図３８】カスタマイズ内容反映処理を示すフローチャートである。
【図３９】画像項目追加処理を示すフローチャートである。
【図４０】レイアウト追加処理を示すフローチャートである。
【図４１】ファイル配置処理を示すフローチャートである。
【図４２】ログオン画像を示している。
【図４３】メニュー画像を示している。
【図４４】キーワード検索画像を示している。
【図４５】カテゴリ検索画像を示している。
【図４６】作品リスト画像を示している。
【図４７】作品リスト画像を示している。
【図４８】作品リスト画像を示している。
【図４９】作品リスト画像を示している。
【図５０】カスタマイズ・メニュー画像を示している。
【図５１】スタート画像設定画像を示してる。
【図５２】画像編集画像を示している。
【図５３】スクリプト編集画像を示している。
【図５４】ファイル送信画像を示している。
【図５５】追加項目選択画像を示している。
【図５６】レイアウト選択画像を示している。
【図５７】ファイル配置画像を示している。
【符号の説明】
１  サーバ
４  ネットワーク・カード
６  ＣＤ−ＲＯＭドライブ
８  キーボード
10  ＣＰＵ
23  表示装置
30  パーソナル・コンピュータ
31  ノート型コンピュータ
32  携帯情報端末装置
33  携帯電話
44  モデム
【図１】
0004094777.tif 000006
【図２】
0004094777.tif 000007
【図３】
0004094777.tif 000008
【図４】
0004094777.tif 000009
【図５】
0004094777.tif 000010
【図６】
0004094777.tif 000011
【図７】
0004094777.tif 000012
【図８】
0004094777.tif 000013
【図９】
0004094777.tif 000014
【図１０】
0004094777.tif 000015
【図１１】
0004094777.tif 000016
【図１２】
0004094777.tif 000017
【図１３】
0004094777.tif 000018
【図１４】
0004094777.tif 000019
【図１５】
0004094777.tif 000020
【図１６】
0004094777.tif 000021
【図１７】
0004094777.tif 000022
【図１８】
0004094777.tif 000023
【図１９】
0004094777.tif 000024
【図２０】
0004094777.tif 000025
【図２１】
0004094777.tif 000026
【図２２】
0004094777.tif 000027
【図２３】
0004094777.tif 000028
【図２４】
0004094777.tif 000029
【図２５】
0004094777.tif 000030
【図２６】
0004094777.tif 000031
【図２７】
0004094777.tif 000032
【図２８】
0004094777.tif 000033
【図２９】
0004094777.tif 000034
【図３０】
0004094777.tif 000035
【図３１】
0004094777.tif 000036
【図３２】
0004094777.tif 000037
【図３３】
0004094777.tif 000038
【図３４】
0004094777.tif 000039
【図３５】
0004094777.tif 000040
【図３６】
0004094777.tif 000041
【図３７】
0004094777.tif 000042
【図３８】
0004094777.tif 000043
【図３９】
0004094777.tif 000044
【図４０】
0004094777.tif 000045
【図４１】
0004094777.tif 000046
【図４２】
0004094777.tif 000047
【図４３】
0004094777.tif 000048
【図４４】
0004094777.tif 000049
【図４５】
0004094777.tif 000050
【図４６】
0004094777.tif 000051
【図４７】
0004094777.tif 000052
【図４８】
0004094777.tif 000053
【図４９】
0004094777.tif 000054
【図５０】
0004094777.tif 000055
【図５１】
0004094777.tif 000056
【図５２】
0004094777.tif 000057
【図５３】
0004094777.tif 000058
【図５４】
0004094777.tif 000059
【図５５】
0004094777.tif 000060
【図５６】
0004094777.tif 000061
【図５７】
0004094777.tif 000062